(57)【要約】【課題】金融店舗に金融機関向けの広告用コンテンツや割込み用コンテンツを配信する割込み機能付き金融機関向けコンテンツ配信システムの提供。【解決手段】割込み機能付き金融機関向けコンテンツ配信システムＳは、広告提供会社１とコンテンツ配信センタ２と金融店舗３とからなる。広告提供会社１のＰＣ１０とコンテンツ配信センタ２のＰＣ２０と金融店舗３のＰＣ３０とが公衆回線５を介して接続される。コンテンツ配信センタ２のＰＣ２０が広告提供会社１のＰＣ１０からの広告情報又は割込み情報をＤＢ２１，２２に格納する。コンテンツ配信センタ２のＰＣ２０が広告コンテンツ情報や割込みコンテンツ情報を金融店舗３のＰＣ３０に対して配信する。金融店舗３のＰＣ３０が広告コンテンツ情報や割込みコンテンツ情報を表示装置３７に表示させる。【選択図】        図１
2004271954.tif 000002
【特許請求の範囲】
【請求項１】
エンドユーザから依頼された広告を提供する広告提供会社と、前記広告に関する金融機関向けコンテンツを配信するコンテンツ配信センタと、前記金融機関向けコンテンツを表示する表示装置が設置された金融機関などの金融店舗とからなり、前記広告提供会社パソコンと前記コンテンツ配信センタパソコンと前記金融店舗パソコンとを通信回線を介して各種のコンテンツ情報を送受信するように接続し、前記金融店舗パソコンに対して前記金融機関向けコンテンツに割込んで割込み用コンテンツを配信する割込み機能付き金融機関向けコンテンツ配信システムであって、
前記広告提供会社パソコンは、前記エンドユーザから依頼された前記広告に関する広告情報を前記コンテンツ配信センタパソコンに送信する機能を備え、前記コンテンツ配信センタパソコンは、前記広告提供会社パソコンから送信された前記広告情報を受信する機能と、受信した前記広告情報をデータベースに格納する機能と、前記広告情報に関するコンテンツ情報を前記金融店舗パソコンに対して配信する機能とを備え、前記金融店舗パソコンは、前記コンテンツ配信センタパソコンから配信された前記広告情報に関するコンテンツ情報をデータベースに格納する機能と、前記広告情報に関するコンテンツ情報を指定された時刻に前記表示装置に表示させる機能とを備え、さらに、前記コンテンツ配信センタパソコンは、前記広告提供会社パソコンから割込み情報がある場合、前記割込み情報をデータベースに格納する機能と、前記割込み情報に関するコンテンツ情報を前記広告情報に関するコンテンツ情報に割込んで前記金融店舗パソコンに対して配信する機能とを備え、前記金融店舗パソコンは、前記コンテンツ配信センタパソコンから配信された前記割込み情報に関するコンテンツ情報をデータベースに格納する機能と、前記割込み情報に関するコンテンツ情報を前記広告情報に関するコンテンツ情報よりも優先的に前記表示装置に表示させる機能とを備えたことを特徴とする割込み機能付き金融機関向けコンテンツ配信システム。
【請求項２】
上記金融店舗内に設置された表示装置は、プラズマディスプレイである請求項１に記載の割込み機能付き金融機関向けコンテンツ配信システム。
【請求項３】
上記広告提供会社と上記コンテンツ配信センタと上記金融店舗とは、各種のコンテンツ情報の配信契約を締結し、前記広告提供会社パソコンと前記コンテンツ配信センタパソコンと前記金融店舗パソコンとは、締結した配信契約の内容に従って前記コンテンツ情報の配信を行う機能を備えている請求項１または２に記載の割込み機能付き金融機関向けコンテンツ配信システム。
【請求項４】
上記広告提供会社と上記コンテンツ配信センタとは、上記通信回線を経由して送受信する上記広告の内容，情報量，表示時間，表示エリア，表示地域，配信方法などの上記広告情報に関するコンテンツ情報の配信契約を締結し、前記コンテンツ配信センタパソコンは、締結した配信契約の内容に従って上記金融店舗パソコンに対して前記広告情報に関するコンテンツ情報の配信を行う機能を備えている請求項１乃至３のいずれかに記載の割込み機能付き金融機関向けコンテンツ配信システム。
【請求項５】
上記コンテンツ配信センタと上記金融店舗とは、上記通信回線を経由して送受信する上記広告の内容，情報量，表示時間，表示エリア，表示地域，配信方法及び上記表示装置の表示画面分割などの上記広告情報に関するコンテンツ情報の配信契約を締結し、前記コンテンツ配信センタパソコンは、締結した配信契約の内容に従って前記金融店舗パソコンに対して前記広告情報に関するコンテンツ情報の配信を行う機能を備えている請求項１乃至４のいずれかに記載の割込み機能付き金融機関向けコンテンツ配信システム。
【請求項６】
上記広告提供会社パソコンは、上記エンドユーザから広告の依頼があると、前記広告に関する広告情報を作成する機能と、作成した前記広告情報を上記コンテンツ配信センタパソコンに送信する機能とを備えている請求項１乃至５のいずれかに記載の割込み機能付き金融機関向けコンテンツ配信システム。
【請求項７】
上記コンテンツ配信センタパソコンは、上記広告提供会社パソコンから送信された上記広告情報を受信する機能と、受信した前記広告情報に基づいて上記表示装置の表示画面に対応した広告用コンテンツを作成する機能と、作成した前記広告用コンテンツの種類，放映時間，放映時刻，配信先，配信内容，配信時期などの各種設定条件を設定する機能と、前記広告用コンテンツの広告コンテンツ情報を広告コンテンツ配信用データベースに登録する機能と、前記広告コンテンツ情報の配信時期が来ると、前記広告コンテンツ情報を前記金融店舗パソコンに配信する機能とを備えている請求項１乃至６のいずれかに記載の割込み機能付き金融機関向けコンテンツ配信システム。
【請求項８】
上記広告提供会社パソコンは、上記広告情報に関するコンテンツ情報の表示中に割込んで上記割込み情報に関するコンテンツ情報を表示する必要が発生した場合、前記割込み情報を作成する機能と、作成した前記割込み情報を上記コンテンツ配信センタパソコンに送信する機能とを備えている請求項１乃至７のいずれかに記載の割込み機能付き金融機関向けコンテンツ配信システム。
【請求項９】
上記コンテンツ配信センタパソコンは、上記広告提供会社パソコンから送信された上記割込み情報を受信する機能と、受信した前記割込み情報に基づいて割込み用コンテンツを作成する機能と、作成した前記割込み用コンテンツの表示画面，割込み指定時刻，表示内容，表示時間，割込み配信先，配信時刻などの各種設定条件を設定する機能と、前記割込み用コンテンツの割込みコンテンツ情報を割込みコンテンツ配信用データベースに登録する機能と、前記割込みコンテンツ情報の配信時期が来ると、前記割込みコンテンツ情報を前記金融店舗パソコンに配信する機能とを備えている請求項１乃至８のいずれかに記載の割込み機能付き金融機関向けコンテンツ配信システム。
【請求項１０】
上記金融店舗パソコンは、上記コンテンツ配信センタパソコンから配信された上記広告コンテンツ情報を受信する機能と、受信した前記広告コンテンツ情報をデータベースに格納する機能と、前記広告コンテンツ情報を指定された時刻に上記表示装置に表示する機能と、前記広告コンテンツ情報を必要に応じて前記表示装置に分割表示する機能とを備えている請求項１乃至９のいずれかに記載の割込み機能付き金融機関向けコンテンツ配信システム。
【請求項１１】
上記金融店舗パソコンは、上記割込みコンテンツ情報が上記コンテンツ配信センタパソコンから配信された場合、前記コンテンツ配信センタパソコンから配信された前記割込みコンテンツ情報を受信する機能と、受信した前記割込みコンテンツ情報をデータベースに格納する機能と、前記割込みコンテンツ情報を上記表示装置に表示する機能とを備えている請求項１乃至１０のいずれかに記載の割込み機能付き金融機関向けコンテンツ配信システム。
【請求項１２】
上記金融店舗パソコンは、上記コンテンツ配信センタパソコンから配信されたコンテンツ情報が通常の広告コンテンツ情報であれば、前記広告コンテンツ情報を広告コンテンツ用データベースに格納する機能と、前記金融店舗パソコンに内蔵されたタイマにより指定時刻になると、前記広告コンテンツ情報を上記表示装置に表示する機能とを備えている請求項１乃至１１のいずれかに記載の割込み機能付き金融機関向けコンテンツ配信システム。
【請求項１３】
上記金融店舗パソコンは、上記コンテンツ配信センタパソコンから配信されたコンテンツ情報が割込みコンテンツ情報であれば、前記割込みコンテンツ情報を割込みコンテンツ用データベースに格納する機能と、上記広告コンテンツ情報の表示中に前記コンテンツ配信センタパソコンから前記割込みコンテンツ情報が配信されると、前記割込みコンテンツ情報を前記広告コンテンツ情報に割込んで上記表示装置に表示する機能とを備えている請求項１乃至１２のいずれかに記載の割込み機能付き金融機関向けコンテンツ配信システム。
【請求項１４】
上記金融店舗パソコンは、上記コンテンツ配信センタパソコンからの表示指示に従って上記広告コンテンツ情報及び上記割込みコンテンツ情報を上記表示装置に表示した時刻，内容のログを取り、前記ログをデータベースに格納する機能と、前記コンテンツ配信センタパソコンから指示又は指定された期日になると、ログ情報を前記コンテンツ配信センタパソコンに報告する機能とを備えている請求項１乃至１３のいずれかに記載の割込み機能付き金融機関向けコンテンツ配信システム。
【請求項１５】
上記コンテンツ配信センタパソコンは、上記金融店舗パソコンからの上記広告コンテンツ情報及び上記割込みコンテンツ情報を上記表示装置に表示した表示情報ログを集計する機能と、集計した前記表示情報ログをデータベースに格納する機能と、課金時期が来ると、上記広告提供会社パソコンにコンテンツ配信の料金請求を行う機能と、前記広告提供会社から料金を回収する機能とを備えている請求項１乃至１４のいずれかに記載の割込み機能付き金融機関向けコンテンツ配信システム。
【発明の詳細な説明】
【０００１】
【発明の属する技術分野】
本発明は、銀行などの金融機関の金融店舗に金融機関向けの広告用コンテンツや割込み用コンテンツを配信するのに最適な割込み機能付き金融機関向けコンテンツ配信システムに関するものである。
【０００２】
【従来の技術】
従来、センタに接続された複数の金融機関などの店舗に対して、文字・音声・映像による適切なメッセージを決められたタイミングで出力するようにしたものが特許文献１に開示されている。
【０００３】
【特許文献１】
特開２０００−９０１７５号公報
【０００４】
【発明が解決しようとする課題】
ところが、従来の特許文献１に開示されたものは、センサーが金融機関などの店舗への来客を感知すると、店舗内に設置されたディスプレイに広告やお知らせなどの通常のメッセージを単に出力するようにしたにすぎないものであった。
【０００５】
本発明の目的は、広告提供会社パソコンがエンドユーザから依頼された広告に関する広告情報をコンテンツ配信センタパソコンに送信するのみで、広告情報をコンテンツ配信センタ側で一括して管理し、最新の広告情報に関するコンテンツ情報をコンテンツ配信センタ側から金融店舗側に向けて全店一斉又は地域毎に確実に配信し、広告提供会社側の労力を軽減し、金融店舗を利用する大勢の利用客に対して表示装置に表示された動画・静止画・文字情報などの広告情報に関するコンテンツ情報により宣伝・案内や各種情報の提供を行え、金融店舗の利用客が長時間待たされても退屈するようなこともなく、金融店舗の多くの利用客に興味を与えて宣伝効果が高く、従来の金融店舗の店舗イメージを一新し、多彩且つアクティブな広告情報に関するコンテンツ情報の表示装置への表示により、新しい金融店舗を手間をかけずに演出し、金融店舗の集客力をアップし、さらに、広告提供会社パソコンから割込み情報がある場合、緊急時の割込み情報に関するコンテンツ情報をコンテンツ配信センタ側から金融店舗側に向けて全店一斉又は地域毎に迅速に配信し、金融店舗の大勢の利用客に対して表示装置に表示された割込み情報に関するコンテンツ情報により緊急時或いは災害時に地震情報や台風情報などの臨時ニュース速報などの情報をリアルタイムで流すことが可能な割込み機能付き金融機関向けコンテンツ配信システムを提供することにある。
【０００６】
【課題を解決するための手段】
本発明の割込み機能付き金融機関向けコンテンツ配信システムは、エンドユーザから依頼された広告を提供する広告提供会社と、前記広告に関する金融機関向けコンテンツを配信するコンテンツ配信センタと、前記金融機関向けコンテンツを表示する表示装置が設置された金融機関などの金融店舗とからなり、前記広告提供会社パソコンと前記コンテンツ配信センタパソコンと前記金融店舗パソコンとを通信回線を介して各種のコンテンツ情報を送受信するように接続し、前記金融店舗パソコンに対して前記金融機関向けコンテンツに割込んで割込み用コンテンツを配信する割込み機能付き金融機関向けコンテンツ配信システムであって、前記広告提供会社パソコンが、前記エンドユーザから依頼された前記広告に関する広告情報を前記コンテンツ配信センタパソコンに送信する機能を備え、前記コンテンツ配信センタパソコンが、前記広告提供会社パソコンから送信された前記広告情報を受信する機能と、受信した前記広告情報をデータベースに格納する機能と、前記広告情報に関するコンテンツ情報を前記金融店舗パソコンに対して配信する機能とを備え、前記金融店舗パソコンが、前記コンテンツ配信センタパソコンから配信された前記広告情報に関するコンテンツ情報をデータベースに格納する機能と、前記広告情報に関するコンテンツ情報を指定された時刻に前記表示装置に表示させる機能とを備え、さらに、前記コンテンツ配信センタパソコンが、前記広告提供会社パソコンから割込み情報がある場合、前記割込み情報をデータベースに格納する機能と、前記割込み情報に関するコンテンツ情報を前記広告情報に関するコンテンツ情報に割込んで前記金融店舗パソコンに対して配信する機能とを備え、前記金融店舗パソコンが、前記コンテンツ配信センタパソコンから配信された前記割込み情報に関するコンテンツ情報をデータベースに格納する機能と、前記割込み情報に関するコンテンツ情報を前記広告情報に関するコンテンツ情報よりも優先的に前記表示装置に表示させる機能とを備えたことを特徴とする構成を有するものである。
【０００７】
本発明の割込み機能付き金融機関向けコンテンツ配信システムは、上記金融店舗内に設置された表示装置が、プラズマディスプレイである。
【０００８】
本発明の割込み機能付き金融機関向けコンテンツ配信システムは、上記広告提供会社と上記コンテンツ配信センタと上記金融店舗とが、各種のコンテンツ情報の配信契約を締結し、前記広告提供会社パソコンと前記コンテンツ配信センタパソコンと前記金融店舗パソコンとが、締結した配信契約の内容に従って前記コンテンツ情報の配信を行う機能を備えている。
【０００９】
本発明の割込み機能付き金融機関向けコンテンツ配信システムは、上記広告提供会社と上記コンテンツ配信センタとが、上記通信回線を経由して送受信する上記広告の内容，情報量，表示時間，表示エリア，表示地域，配信方法などの上記広告情報に関するコンテンツ情報の配信契約を締結し、前記コンテンツ配信センタパソコンが、締結した配信契約の内容に従って上記金融店舗パソコンに対して前記広告情報に関するコンテンツ情報の配信を行う機能を備えている。
【００１０】
本発明の割込み機能付き金融機関向けコンテンツ配信システムは、上記コンテンツ配信センタと上記金融店舗とが、上記通信回線を経由して送受信する上記広告の内容，情報量，表示時間，表示エリア，表示地域，配信方法及び上記表示装置の表示画面分割などの上記広告情報に関するコンテンツ情報の配信契約を締結し、前記コンテンツ配信センタパソコンが、締結した配信契約の内容に従って前記金融店舗パソコンに対して前記広告情報に関するコンテンツ情報の配信を行う機能を備えている。
【００１１】
本発明の割込み機能付き金融機関向けコンテンツ配信システムは、上記広告提供会社パソコンが、上記エンドユーザから広告の依頼があると、前記広告に関する広告情報を作成する機能と、作成した前記広告情報を上記コンテンツ配信センタパソコンに送信する機能とを備えている。
【００１２】
本発明の割込み機能付き金融機関向けコンテンツ配信システムは、上記コンテンツ配信センタパソコンが、上記広告提供会社パソコンから送信された上記広告情報を受信する機能と、受信した前記広告情報に基づいて上記表示装置の表示画面に対応した広告用コンテンツを作成する機能と、作成した前記広告用コンテンツの種類，放映時間，放映時刻，配信先，配信内容，配信時期などの各種設定条件を設定する機能と、前記広告用コンテンツの広告コンテンツ情報を広告コンテンツ配信用データベースに登録する機能と、前記広告コンテンツ情報の配信時期が来ると、前記広告コンテンツ情報を前記金融店舗パソコンに配信する機能とを備えている。
【００１３】
本発明の割込み機能付き金融機関向けコンテンツ配信システムは、上記広告提供会社パソコンが、上記広告情報に関するコンテンツ情報の表示中に割込んで上記割込み情報に関するコンテンツ情報を表示する必要が発生した場合、前記割込み情報を作成する機能と、作成した前記割込み情報を上記コンテンツ配信センタパソコンに送信する機能とを備えている。
【００１４】
本発明の割込み機能付き金融機関向けコンテンツ配信システムは、上記コンテンツ配信センタパソコンが、上記広告提供会社パソコンから送信された上記割込み情報を受信する機能と、受信した前記割込み情報に基づいて割込み用コンテンツを作成する機能と、作成した前記割込み用コンテンツの表示画面，割込み指定時刻，表示内容，表示時間，割込み配信先，配信時刻などの各種設定条件を設定する機能と、前記割込み用コンテンツの割込みコンテンツ情報を割込みコンテンツ配信用データベースに登録する機能と、前記割込みコンテンツ情報の配信時期が来ると、前記割込みコンテンツ情報を前記金融店舗パソコンに配信する機能とを備えている。
【００１５】
本発明の割込み機能付き金融機関向けコンテンツ配信システムは、上記金融店舗パソコンが、上記コンテンツ配信センタパソコンから配信された上記広告コンテンツ情報を受信する機能と、受信した前記広告コンテンツ情報をデータベースに格納する機能と、前記広告コンテンツ情報を指定された時刻に上記表示装置に表示する機能と、前記広告コンテンツ情報を必要に応じて前記表示装置に分割表示する機能とを備えている。
【００１６】
本発明の割込み機能付き金融機関向けコンテンツ配信システムは、上記金融店舗パソコンが、上記割込みコンテンツ情報が上記コンテンツ配信センタパソコンから配信された場合、前記コンテンツ配信センタパソコンから配信された前記割込みコンテンツ情報を受信する機能と、受信した前記割込みコンテンツ情報をデータベースに格納する機能と、前記割込みコンテンツ情報を上記表示装置に表示する機能とを備えている。
【００１７】
本発明の割込み機能付き金融機関向けコンテンツ配信システムは、上記金融店舗パソコンが、上記コンテンツ配信センタパソコンから配信されたコンテンツ情報が通常の広告コンテンツ情報であれば、前記広告コンテンツ情報を広告コンテンツ用データベースに格納する機能と、前記金融店舗パソコンに内蔵されたタイマにより指定時刻になると、前記広告コンテンツ情報を上記表示装置に表示する機能とを備えている。
【００１８】
本発明の割込み機能付き金融機関向けコンテンツ配信システムは、上記金融店舗パソコンが、上記コンテンツ配信センタパソコンから配信されたコンテンツ情報が割込みコンテンツ情報であれば、前記割込みコンテンツ情報を割込みコンテンツ用データベースに格納する機能と、上記広告コンテンツ情報の表示中に前記コンテンツ配信センタパソコンから前記割込みコンテンツ情報が配信されると、前記割込みコンテンツ情報を前記広告コンテンツ情報に割込んで上記表示装置に表示する機能とを備えている。
【００１９】
本発明の割込み機能付き金融機関向けコンテンツ配信システムは、上記金融店舗パソコンが、上記コンテンツ配信センタパソコンからの表示指示に従って上記広告コンテンツ情報及び上記割込みコンテンツ情報を上記表示装置に表示した時刻，内容のログを取り、前記ログをデータベースに格納する機能と、前記コンテンツ配信センタパソコンから指示又は指定された期日になると、ログ情報を前記コンテンツ配信センタパソコンに報告する機能とを備えている。
【００２０】
本発明の割込み機能付き金融機関向けコンテンツ配信システムは、上記コンテンツ配信センタパソコンが、上記金融店舗パソコンからの上記広告コンテンツ情報及び上記割込みコンテンツ情報を上記表示装置に表示した表示情報ログを集計する機能と、集計した前記表示情報ログをデータベースに格納する機能と、課金時期が来ると、上記広告提供会社パソコンにコンテンツ配信の料金請求を行う機能と、前記広告提供会社から料金を回収する機能とを備えている。
【００２１】
【発明の実施の形態】
以下、本発明の実施の形態を図面に基づいて詳細に説明する。
図１は、本発明の実施の形態に係わる割込み機能付き金融機関向けコンテンツ配信システムを示す構成図である。
本発明の割込み機能付き金融機関向けコンテンツ配信システムＳは、エンドユーザから依頼された広告を提供する広告提供会社１と、広告に関する金融機関向けコンテンツを配信するコンテンツ配信センタ２と、金融機関向けコンテンツを表示する表示装置３７が設置された金融機関などの金融店舗３とからなり、広告提供会社１のパソコン（ＰＣ；Ｐｅｒｓｏｎａｌ  Ｃｏｍｐｕｔｅｒ）１０とコンテンツ配信センタ２のパソコン（ＰＣ）２０と金融店舗３のパソコン（ＰＣ）３０とが通信回線である公衆回線５を介して各種のコンテンツ情報を送受信するように接続され、金融店舗３のパソコン３０に対して金融機関向けコンテンツに割込んで割込み用コンテンツを配信するシステムである。
【００２２】
本発明の割込み機能付き金融機関向けコンテンツ配信システムＳは、広告提供会社１のパソコン１０が、エンドユーザから依頼された広告に関する広告情報をコンテンツ配信センタ２のパソコン２０に送信する機能を備え、コンテンツ配信センタ２のパソコン２０が、広告提供会社１のパソコン１０から送信された広告情報を受信する機能と、受信した広告情報を広告コンテンツ配信用データベース（ＤＢ；Ｄａｔａ  Ｂａｓｅ）２１に格納する機能と、広告情報に関するコンテンツ情報を金融店舗３のパソコン３０に対して配信する機能とを備え、金融店舗３のパソコン３０が、コンテンツ配信センタ２のパソコン２０から配信された広告情報に関するコンテンツ情報を広告コンテンツ用データベース（ＤＢ）３１に格納する機能と、広告情報に関するコンテンツ情報を指定された時刻に表示装置３７に表示させる機能とを備え、さらに、コンテンツ配信センタ２のパソコン２０が、広告提供会社１のパソコン１０から割込み情報がある場合、割込み情報を割込みコンテンツ配信用データベース（ＤＢ）２２に格納する機能と、割込み情報に関するコンテンツ情報を広告情報に関するコンテンツ情報に割込んで金融店舗３のパソコン３０に対して配信する機能とを備え、金融店舗３のパソコン３０が、コンテンツ配信センタ２のパソコン２０から配信された割込み情報に関するコンテンツ情報を割込みコンテンツ用データベース（ＤＢ）３２に格納する機能と、割込み情報に関するコンテンツ情報を広告情報に関するコンテンツ情報よりも優先的に表示装置３７に表示させる機能とを備えている。
【００２３】
本発明の割込み機能付き金融機関向けコンテンツ配信システムＳは、コンテンツ配信センタ２のパソコン（ＰＣ）２０と金融店舗３のパソコン（ＰＣ）３０とが通信回線である衛星回線６を介して各種のコンテンツ情報を送受信するように連絡されている。
【００２４】
広告提供会社１は、図１に示すように、パソコン１０と、パソコン１０に接続された課金サーバ１１と、パソコン１０，課金サーバ１１に接続された広告情報，割込み情報を格納する共有データベース（ＤＢ）１２と、パソコン１０，課金サーバ１１，共有データベース１２に接続されたルータ１３とを有している。
【００２５】
コンテンツ配信センタ２は、図１に示すように、パソコン２０と、パソコン２０に接続された管理サーバ２４と、パソコン２０，管理サーバ２４に接続された広告情報を格納する広告コンテンツ配信用データベース２１と、パソコン２０，管理サーバ２４に接続された割込み情報を格納する割込みコンテンツ配信用データベース２２と、パソコン２０，管理サーバ２４に接続された金融店舗３のパソコン３０が集計した表示情報ログを格納するログデータベース（ＤＢ）２３と、パソコン２０，管理サーバ２４，広告コンテンツ配信用データベース２１，割込みコンテンツ配信用データベース２２，ログデータベース２３に接続されたルータ２５と、パソコン２０に接続された衛星通信用アンテナ２６とを有している。
【００２６】
コンテンツ配信センタ２のパソコン２０は、広告情報に関するコンテンツ情報，割込み情報に関するコンテンツ情報の他にも、金利情報，証券情報，外国為替情報などの金融関連コンテンツ情報や気象情報，交通情報，列車運行情報などのコンテンツ情報を金融店舗３のパソコン３０に対して配信することができる。
【００２７】
さらに、コンテンツ配信センタ２のパソコン２０は、広告情報に関するコンテンツ情報及び割込み情報に関するコンテンツ情報を衛星通信用アンテナ２６から衛星回線６の通信衛星６０を経由して金融店舗３のパソコン３０に接続された衛星通信用受信装置４１に送信することができる。
【００２８】
管理サーバ２４は、広告コンテンツ配信用データベース２１に格納された広告情報，割込みコンテンツ配信用データベース２２に格納された割込み情報，ログデータベース２３に格納された表示情報ログなどの各種の情報を管理するものである。
【００２９】
コンテンツ配信センタ２のパソコン２０は、広告提供会社１の共有データベース１２から広告情報を１週毎にダウンロードするようになっている。
【００３０】
さらに、コンテンツ配信センタ２のパソコン２０は、広告情報に関するコンテンツ情報を１週間又は１ヶ月に１度だけ金融店舗３のパソコン３０に対して配信するようになっている。
【００３１】
ここで、コンテンツ配信センタ２のパソコン２０は、広告情報に関するコンテンツ情報として動画，静止画，文字，音声などのコンテンツ情報を金融店舗３のパソコン３０に送信する。
【００３２】
また、コンテンツ配信センタ２のパソコン２０から金融店舗３のパソコン３０への広告情報に関するコンテンツ情報の送信方法としては、動画，静止画，文字，音声などのコンテンツ情報を一括にまとめて送信する一括送信、動画，静止画，文字，音声などのコンテンツ情報をリアルタイムに送信するリアルタイム送信、動画，静止画，文字，音声などのコンテンツ情報を適当に組み合わせて送信する組み合わせ送信などの方法が適用される。
【００３３】
コンテンツ配信センタ２のパソコン２０では、動画，静止画，文字，音声などのコンテンツ情報を全店一斉又は地域毎に送信するためのグルーピングが行われる。
【００３４】
さらに、コンテンツ配信センタ２のパソコン２０では、動画，静止画，文字，音声などのコンテンツ情報の一括送信，リアルタイム送信，時間指定表示などの処理順序を決定するスケジューリングが行われる。
【００３５】
コンテンツ配信センタ２のパソコン２０は、金融店舗３のパソコン３０への表示制御データの送信も行う。
【００３６】
金融店舗３は、図１に示すように、パソコン３０と、パソコン３０に接続された管理サーバ３５と、パソコン３０，管理サーバ３５に接続された広告情報に関するコンテンツ情報を格納する広告コンテンツ用データベース３１と、パソコン３０，管理サーバ３５に接続された割込み情報に関するコンテンツ情報を格納する割込みコンテンツ用データベース３２と、パソコン３０，管理サーバ３５に接続された表示した時刻，内容のログを格納するログデータベース（ＤＢ）３３と、パソコン３０，管理サーバ３５に接続された広告情報に関するコンテンツ情報及び割込み情報に関するコンテンツ情報の表示時間を記録する表示記録用データベース（ＤＢ）３４と、パソコン３０，管理サーバ３５，広告コンテンツ用データベース３１，割込みコンテンツ用データベース３２，ログデータベース３３，表示記録用データベース３４に接続されたルータ３６と、パソコン３０に接続されたタッチパネル３７ａを備えている表示装置３７と、表示装置３７に接続されたタッチパネル３８と、表示装置３７に接続された印刷装置３９と、表示装置３７に接続された音声を出力するスピーカ４０と、パソコン３０に接続された衛星通信用受信装置４１とを有している。
【００３７】
管理サーバ３５は、広告コンテンツ用データベース３１に格納された広告情報に関するコンテンツ情報，割込みコンテンツ用データベース３２に格納された割込み情報に関するコンテンツ情報，ログデータベース３３に格納された表示装置３７に表示した時刻，内容のログなどの各種の情報を管理するものである。
【００３８】
金融店舗３のパソコン３０は、動画，静止画，文字，音声などの通常の広告コンテンツ情報への割込みコンテンツ情報の割込み表示を行う。
【００３９】
また、金融店舗３のパソコン３０は、コンテンツを表示する表示スケジュールのスケジュール機能や速報機能を備え、表示順序や時間帯に応じた情報表示とコンテンツ配信センタ２からの指示による地震情報や台風情報などの臨時ニュース速報などを流すことができる。
【００４０】
金融店舗３内のパソコン３０毎にコンテンツを表示する表示スケジュールのスケジュールデータを設定できるため、地域別，店舗形態別などのグルーピング運用を行うことが可能である。
【００４１】
金融店舗３のパソコン３０は、コンテンツ配信センタ２の衛星通信用アンテナ２６から衛星回線６の通信衛星６０を経由して衛星通信用受信装置４１に送信された広告情報に関するコンテンツ情報及び割込み情報に関するコンテンツ情報を受信することができる。
【００４２】
本発明の割込み機能付き金融機関向けコンテンツ配信システムＳは、金融店舗３内に設置された表示装置３７が、プラズマディスプレイである。
【００４３】
本発明の割込み機能付き金融機関向けコンテンツ配信システムＳは、広告提供会社１とコンテンツ配信センタ２と金融店舗３とが、各種のコンテンツ情報の配信契約を締結し、広告提供会社１のパソコン１０とコンテンツ配信センタ２のパソコン２０と金融店舗３のパソコン３０とが、締結した配信契約の内容に従ってコンテンツ情報の配信を行う機能を備えている。
【００４４】
本発明の割込み機能付き金融機関向けコンテンツ配信システムＳは、広告提供会社１とコンテンツ配信センタ２とが、公衆回線５を経由して送受信する広告の内容，情報量，表示時間，表示エリア，表示地域，配信方法などの広告情報に関するコンテンツ情報の配信契約を締結し、コンテンツ配信センタ２のパソコン２０が、締結した配信契約の内容に従って金融店舗３のパソコン３０に対して広告情報に関するコンテンツ情報の配信を行う機能を備えている。
【００４５】
本発明の割込み機能付き金融機関向けコンテンツ配信システムＳは、コンテンツ配信センタ２と金融店舗３とが、公衆回線５を経由して送受信する広告の内容，情報量，表示時間，表示エリア，表示地域，配信方法及び表示装置３７の表示画面分割などの広告情報に関するコンテンツ情報の配信契約を締結し、コンテンツ配信センタ２のパソコン２０が、締結した配信契約の内容に従って金融店舗３のパソコン３０に対して広告情報に関するコンテンツ情報の配信を行う機能を備えている。
【００４６】
本発明の割込み機能付き金融機関向けコンテンツ配信システムＳは、広告提供会社１のパソコン１０が、エンドユーザから広告の依頼があると、広告に関する広告情報を作成する機能と、作成した広告情報をコンテンツ配信センタ２のパソコン２０に送信する機能とを備えている。
【００４７】
本発明の割込み機能付き金融機関向けコンテンツ配信システムＳは、コンテンツ配信センタ２のパソコン２０が、広告提供会社１のパソコン１０から送信された広告情報を受信する機能と、受信した広告情報に基づいて表示装置３７の表示画面４２に対応した広告用コンテンツを作成する機能と、作成した広告用コンテンツの種類，放映時間，放映時刻，配信先，配信内容，配信時期などの各種設定条件を設定する機能と、広告用コンテンツの広告コンテンツ情報を広告コンテンツ配信用データベース２１に登録する機能と、広告コンテンツ情報の配信時期が来ると、広告コンテンツ情報を金融店舗３のパソコン３０に配信する機能とを備えている。
【００４８】
本発明の割込み機能付き金融機関向けコンテンツ配信システムＳは、広告提供会社１のパソコン１０が、広告情報に関するコンテンツ情報の表示中に割込んで割込み情報に関するコンテンツ情報を表示する必要が発生した場合、割込み情報を作成する機能と、作成した割込み情報をコンテンツ配信センタ２のパソコン２０に送信する機能とを備えている。
【００４９】
本発明の割込み機能付き金融機関向けコンテンツ配信システムＳは、コンテンツ配信センタ２のパソコン２０が、広告提供会社１のパソコン１０から送信された割込み情報を受信する機能と、受信した割込み情報に基づいて割込み用コンテンツを作成する機能と、作成した割込み用コンテンツの表示画面，割込み指定時刻，表示内容，表示時間，割込み配信先，配信時刻などの各種設定条件を設定する機能と、割込み用コンテンツの割込みコンテンツ情報を割込みコンテンツ配信用データベース２２に登録する機能と、割込みコンテンツ情報の配信時期が来ると、割込みコンテンツ情報を金融店舗３のパソコン３０に配信する機能とを備えている。
【００５０】
本発明の割込み機能付き金融機関向けコンテンツ配信システムＳは、金融店舗３のパソコン３０が、コンテンツ配信センタ２のパソコン２０から配信された広告コンテンツ情報を受信する機能と、受信した広告コンテンツ情報を広告コンテンツ用データベース３１に格納する機能と、広告コンテンツ情報を指定された時刻に表示装置３７に表示する機能と、広告コンテンツ情報を必要に応じて表示装置３７に分割表示する機能とを備えている。
【００５１】
本発明の割込み機能付き金融機関向けコンテンツ配信システムＳは、金融店舗３のパソコン３０が、割込みコンテンツ情報がコンテンツ配信センタ２のパソコン２０から配信された場合、コンテンツ配信センタ２のパソコン２０から配信された割込みコンテンツ情報を受信する機能と、受信した割込みコンテンツ情報を割込みコンテンツ用データベース３２に格納する機能と、割込みコンテンツ情報を表示装置３７に表示する機能とを備えている。
【００５２】
本発明の割込み機能付き金融機関向けコンテンツ配信システムＳは、金融店舗３のパソコン３０が、コンテンツ配信センタ２のパソコン２０から配信されたコンテンツ情報が通常の広告コンテンツ情報であれば、広告コンテンツ情報を広告コンテンツ用データベース３１に格納する機能と、金融店舗３のパソコン３０に内蔵されたタイマ（図示せず）により指定時刻になると、広告コンテンツ情報を表示装置３７に表示する機能とを備えている。
【００５３】
本発明の割込み機能付き金融機関向けコンテンツ配信システムＳは、金融店舗３のパソコン３０が、コンテンツ配信センタ２のパソコン２０から配信されたコンテンツ情報が割込みコンテンツ情報であれば、割込みコンテンツ情報を割込みコンテンツ用データベース３２に格納する機能と、広告コンテンツ情報の表示中にコンテンツ配信センタ２のパソコン２０から割込みコンテンツ情報が配信されると、割込みコンテンツ情報を広告コンテンツ情報に割込んで表示装置３７に表示する機能とを備えている。
【００５４】
本発明の割込み機能付き金融機関向けコンテンツ配信システムＳは、金融店舗３のパソコン３０が、コンテンツ配信センタ２のパソコン２０からの表示指示に従って広告コンテンツ情報及び割込みコンテンツ情報を表示装置３７に表示した時刻，内容のログを取り、ログをログデータベース３３に格納する機能と、コンテンツ配信センタ２のパソコン２０から指示又は指定された期日になると、ログ情報をコンテンツ配信センタ２のパソコン２０に報告する機能とを備えている。
【００５５】
本発明の割込み機能付き金融機関向けコンテンツ配信システムＳは、コンテンツ配信センタ２のパソコン２０が、金融店舗３のパソコン３０からの広告コンテンツ情報及び割込みコンテンツ情報を表示装置３７に表示した表示情報ログを集計する機能と、集計した表示情報ログをログデータベース２３に格納する機能と、課金時期が来ると、広告提供会社１のパソコン１０にコンテンツ配信の料金請求を行う機能と、広告提供会社１から料金を回収する機能とを備えている。
【００５６】
図２は、本発明の実施の形態に係わる割込み機能付き金融機関向けコンテンツ配信システムにおける金融店舗内に設置された表示装置の表示画面を複数の区画に分割指定した場合の例を示す説明図、（ａ）は表示装置の表示画面を４つの表示エリアに分割指定した場合の第１例を示す図、（ｂ）は表示装置の表示画面を３つの表示エリアに分割指定した場合の第２例を示す図、（ｃ）は表示装置の表示画面を（ａ）とは異なる４つの表示エリアに分割指定した場合の第３例を示す図である。
金融店舗３内に設置された表示装置３７の表示画面４２を図２（ａ）に示すような４つの表示エリア４２Ａ，４２Ｂ，４２Ｃ，４２Ｄに分割指定した場合、表示装置３７の表示画面４２の表示エリア４２Ａには、例えば、コンテンツ配信センタ２の広告コンテンツ配信用データベース２１からダウンロードした広告情報に関するコンテンツ情報として動画のコンテンツが表示され、表示装置３７の表示画面４２の表示エリア４２Ｂには、例えば、コンテンツ配信センタ２の広告コンテンツ配信用データベース２１からダウンロードした広告情報に関するコンテンツ情報として静止画のコンテンツが表示され、表示装置３７の表示画面４２の表示エリア４２Ｃには、例えば、コンテンツ配信センタ２の広告コンテンツ配信用データベース２１からダウンロードした広告情報に関するコンテンツ情報として表示エリア４２Ａとは異なる動画のコンテンツが表示され、表示装置３７の表示画面４２の表示エリア４２Ｄには、例えば、コンテンツ配信センタ２の広告コンテンツ配信用データベース２１からダウンロードした広告情報に関するコンテンツ情報として文字情報などのテキストのコンテンツが表示されるようになっている。
【００５７】
また、金融店舗３内に設置された表示装置３７の表示画面４２を図２（ｂ）に示すような３つの表示エリア４２Ａ，４２Ｂ，４２Ｃに分割指定した場合、表示装置３７の表示画面４２の表示エリア４２Ａには、例えば、コンテンツ配信センタ２の広告コンテンツ配信用データベース２１からダウンロードした広告情報に関するコンテンツ情報として動画のコンテンツが表示され、表示装置３７の表示画面４２の表示エリア４２Ｂには、例えば、コンテンツ配信センタ２の広告コンテンツ配信用データベース２１からダウンロードした広告情報に関するコンテンツ情報として静止画のコンテンツが表示され、表示装置３７の表示画面４２の表示エリア４２Ｃには、例えば、コンテンツ配信センタ２の広告コンテンツ配信用データベース２１からダウンロードした広告情報に関するコンテンツ情報として動画のコンテンツが表示されるようになっている。
【００５８】
さらに、金融店舗３内に設置された表示装置３７の表示画面４２を図２（ｃ）に示すような４つの表示エリア４２Ａ，４２Ｂ，４２Ｃ，４２Ｄに分割指定した場合、表示装置３７の表示画面４２の表示エリア４２Ａには、例えば、コンテンツ配信センタ２の広告コンテンツ配信用データベース２１からダウンロードした広告情報に関するコンテンツ情報として動画のコンテンツが表示され、表示装置３７の表示画面４２の表示エリア４２Ｂには、例えば、コンテンツ配信センタ２の広告コンテンツ配信用データベース２１からダウンロードした広告情報に関するコンテンツ情報として静止画のコンテンツが表示され、表示装置３７の表示画面４２の表示エリア４２Ｃには、例えば、コンテンツ配信センタ２の広告コンテンツ配信用データベース２１からダウンロードした広告情報に関するコンテンツ情報として表示エリア４２Ａとは異なる動画のコンテンツが表示され、表示装置３７の表示画面４２の表示エリア４２Ｄには、例えば、コンテンツ配信センタ２の広告コンテンツ配信用データベース２１からダウンロードした広告情報に関するコンテンツ情報として文字情報などのテキストのコンテンツが表示されるようになっている。
【００５９】
図３は、本発明の割込み機能付き金融機関向けコンテンツ配信システムにおけるコンテンツ配信センタパソコンから金融店舗パソコンへの金融機関向けコンテンツ配信時の流れを示す処理フロー図である。
ステップＳ１００でスタートした処理は、コンテンツ配信センタ２のパソコン２０から金融店舗３のパソコン３０への金融機関向けコンテンツ配信時に、まず、ステップＳ１０１で広告提供会社１のパソコン１０がエンドユーザから依頼された広告に関する広告情報を公衆回線５を経由してコンテンツ配信センタ２のパソコン２０に送信し、次いで、ステップＳ１０２でコンテンツ配信センタ２のパソコン２０が広告提供会社１のパソコン１０から送信された広告情報をルータ２５を中継して受信し、次いで、ステップＳ１０３でコンテンツ配信センタ２のパソコン２０が受信した広告情報に基づいて金融店舗３内に設置された表示装置３７の表示画面４２に対応した通常の広告用コンテンツを作成し、次いで、ステップＳ１０４でコンテンツ配信センタ２のパソコン２０が作成した広告用コンテンツの各種設定条件を設定する。
【００６０】
ステップＳ１０４における広告用コンテンツの各種設定条件の設定として、コンテンツ配信センタ２のパソコン２０により、表示装置３７の表示画面４２の分割指定の設定、分割指定した表示装置３７の表示画面４２と動画，静止画，テキストなどの広告用コンテンツとの対応の設定、広告用コンテンツの種類の設定、各広告用コンテンツの放映時間の設定、各広告用コンテンツの放映時刻の設定、広告用コンテンツの配信先の設定、広告用コンテンツの配信内容の設定、広告用コンテンツの配信時期の設定などが行われる。
【００６１】
次いで、ステップＳ１０５でコンテンツ配信センタ２のパソコン２０が広告用コンテンツの広告コンテンツ情報を広告コンテンツ配信用データベース２１に登録し、次いで、ステップＳ１０６でコンテンツ配信センタ２のパソコン２０が広告コンテンツ情報の配信時期であるかを判断する。
【００６２】
ここで、広告コンテンツ情報の配信時期である場合（ステップＳ１０６“Ｙ”）、ステップＳ１０７でコンテンツ配信センタ２のパソコン２０が動画，静止画，文字，音声などの広告コンテンツ情報を公衆回線５を経由して金融店舗３のパソコン３０に配信する。
【００６３】
図４は、本発明の割込み機能付き金融機関向けコンテンツ配信システムにおけるコンテンツ配信センタパソコンから金融店舗パソコンへの割込み用コンテンツ配信時の流れを示す処理フロー図である。
ステップＳ２００でスタートした処理は、コンテンツ配信センタ２のパソコン２０から金融店舗３のパソコン３０への割込み用コンテンツ配信時に、広告情報に関するコンテンツ情報の表示中に割込んで割込み情報に関するコンテンツ情報を表示する必要が発生した場合、まず、ステップＳ２０１で広告提供会社１のパソコン１０が緊急時あるいは災害時などに臨時ニュース速報などの割込み情報を作成し、次いで、ステップＳ２０２で広告提供会社１のパソコン１０が作成した割込み情報を公衆回線５を経由してコンテンツ配信センタ２のパソコン２０に送信し、次いで、ステップＳ２０３でコンテンツ配信センタ２のパソコン２０が広告提供会社１のパソコン１０から送信された割込み情報をルータ２５を中継して受信し、次いで、ステップＳ２０４でコンテンツ配信センタ２のパソコン２０が受信した割込み情報に基づいて割込み用コンテンツを作成し、次いで、ステップＳ２０５でコンテンツ配信センタ２のパソコン２０が作成した割込み用コンテンツの各種設定条件を設定する。
【００６４】
ステップＳ２０５における割込み用コンテンツの各種設定条件の設定として、コンテンツ配信センタ２のパソコン２０により、レイアウト指示，表示エリア指定などの表示装置３７の表示画面４２の設定、割込み用コンテンツの割込み指定時刻の設定、割込み用コンテンツの表示内容の設定、割込み用コンテンツの表示時間の設定、割込み用コンテンツの割込み配信先の設定、割込み用コンテンツの配信時刻の設定などが行われる。
【００６５】
次いで、ステップＳ２０６でコンテンツ配信センタ２のパソコン２０が割込み用コンテンツの割込みコンテンツ情報を割込みコンテンツ配信用データベース２２に登録し、次いで、ステップＳ２０７でコンテンツ配信センタ２のパソコン２０が割込みコンテンツ情報の配信時期であるかを判断する。
【００６６】
ここで、割込みコンテンツ情報の配信時期である場合（ステップＳ２０７“Ｙ”）、ステップＳ２０８でコンテンツ配信センタ２のパソコン２０が割込みコンテンツ情報を公衆回線５を経由して金融店舗３のパソコン３０に配信する。
【００６７】
図５は、本発明の割込み機能付き金融機関向けコンテンツ配信システムにおける金融店舗パソコンによる表示装置へのコンテンツ表示時の流れを示す処理フロー図である。
ステップＳ３００でスタートした処理は、金融店舗３のパソコン３０による表示装置３７へのコンテンツ表示時に、まず、ステップＳ３０１で金融店舗３のパソコン３０がコンテンツ配信センタ２のパソコン２０から配信されたコンテンツ情報をルータ３６を中継して受信し、次いで、ステップＳ３０２で金融店舗３のパソコン３０がコンテンツ配信センタ２のパソコン２０から配信されたコンテンツ情報が通常の広告コンテンツ情報であるかを判断する。
【００６８】
ここで、コンテンツ配信センタ２のパソコン２０から配信されたコンテンツ情報が通常の広告コンテンツ情報である場合（ステップＳ３０２“Ｙ”）、ステップＳ３０３で金融店舗３のパソコン３０が通常の広告コンテンツ情報を広告コンテンツ用データベース３１に格納し、次いで、ステップＳ３０４で金融店舗３のパソコン３０が現時刻に表示装置３７に表示するコンテンツ情報があるかを判断する。
【００６９】
また、コンテンツ配信センタ２のパソコン２０から配信されたコンテンツ情報が通常の広告コンテンツ情報でない場合（ステップＳ３０２“Ｎ”）、ステップＳ３０５で金融店舗３のパソコン３０が割込みコンテンツ情報を割込みコンテンツ用データベース３２に格納し、次いで、ステップＳ３０４に移行する。
【００７０】
現時刻に表示装置３７に表示するコンテンツ情報がある場合（ステップＳ３０４“Ｙ”）、ステップＳ３０６で金融店舗３のパソコン３０がコンテンツ配信センタ２のパソコン２０から配信されたコンテンツ情報が割込みコンテンツ情報であるかを判断する。
【００７１】
ここで、コンテンツ配信センタ２のパソコン２０から配信されたコンテンツ情報が割込みコンテンツ情報である場合（ステップＳ３０６“Ｙ”）、ステップＳ３０７で金融店舗３のパソコン３０が割込みコンテンツ情報を通常の広告コンテンツ情報に割込んで優先的に表示装置３７の表示画面４２に表示させ、次いで、ステップＳ３０８で金融店舗３のパソコン３０が割込みコンテンツ情報の表示時間を表示記録用データベース３４に記録し、その後、ステップＳ３０４に戻る。
【００７２】
また、コンテンツ配信センタ２のパソコン２０から配信されたコンテンツ情報が割込みコンテンツ情報でない場合（ステップＳ３０６“Ｎ”）、ステップＳ３０９で金融店舗３のパソコン３０が通常の広告コンテンツ情報を指定された時刻に表示装置３７の表示画面４２に表示させ、次いで、ステップＳ３１０で金融店舗３のパソコン３０が通常の広告コンテンツ情報の表示時間を表示記録用データベース３４に記録し、その後、ステップＳ３０４に戻る。
【００７３】
さらに、現時刻に表示装置３７に表示するコンテンツ情報がない場合（ステップＳ３０４“Ｎ”）、ステップＳ３１１で金融店舗３のパソコン３０が全コンテンツ情報の表示終了であるかを判断する。
【００７４】
ここで、全コンテンツ情報の表示終了でない場合（ステップＳ３１１“Ｎ”）、ステップＳ３０４に戻る。
【００７５】
図６は、本発明の割込み機能付き金融機関向けコンテンツ配信システムにおけるコンテンツ配信センタパソコンから広告提供会社パソコンへの金融機関向けコンテンツ配信による課金時の流れを示す処理フロー図である。
ステップＳ４００でスタートした処理は、コンテンツ配信センタ２のパソコン２０から広告提供会社１のパソコン１０への金融機関向けコンテンツ配信による課金時に、まず、ステップＳ４０１でコンテンツ配信センタ２のパソコン２０が金融店舗３の表示記録用データベース３４より通常の広告コンテンツ情報の表示時間の記録及び割込みコンテンツ情報の表示時間の記録を読出し、次いで、ステップＳ４０２でコンテンツ配信センタ２のパソコン２０が読出した通常の広告コンテンツ情報の表示時間及び割込みコンテンツ情報の表示時間により課金情報としてコンテンツ配信料金を算出し、次いで、ステップＳ４０３でコンテンツ配信センタ２のパソコン２０が課金情報を公衆回線５を経由して広告提供会社１の課金サーバ１１に送信する。
【００７６】
【発明の効果】
以上に述べたように、本発明の割込み機能付き金融機関向けコンテンツ配信システムによれば、広告提供会社パソコンがエンドユーザから依頼された広告に関する広告情報をコンテンツ配信センタパソコンに送信するのみで、コンテンツ配信センタパソコンが広告提供会社パソコンからの広告情報をデータベースに格納するので、広告情報をコンテンツ配信センタ側で一括して管理することができ、コンテンツ配信センタパソコンが広告情報に関するコンテンツ情報を金融店舗パソコンに対して配信するので、最新の広告情報に関するコンテンツ情報をコンテンツ配信センタ側から金融店舗側に向けて全店一斉又は地域毎に確実に配信することができ、広告提供会社側の労力を軽減でき、金融店舗パソコンがコンテンツ配信センタパソコンから配信された広告情報に関するコンテンツ情報を指定された時刻に表示装置に表示させるので、金融店舗を利用する大勢の利用客に対して表示装置に表示された動画・静止画・文字情報などの広告情報に関するコンテンツ情報により宣伝・案内や各種情報の提供を行うことができ、金融店舗の利用客が長時間待たされても退屈するようなこともなく、金融店舗の多くの利用客に興味を与えて宣伝効果が高く、従来の金融店舗の店舗イメージを一新することができ、多彩且つアクティブな広告情報に関するコンテンツ情報の表示装置への表示により、金融店舗に表示装置を設置するのみで、新しい金融店舗を手間をかけずに演出し、金融店舗の集客力をアップすることが可能である。
【００７７】
さらに、広告提供会社パソコンから割込み情報がある場合、コンテンツ配信センタパソコンが広告提供会社パソコンからの割込み情報に関するコンテンツ情報を広告情報に関するコンテンツ情報に割込みをかけて金融店舗パソコンに対して配信するので、緊急時の割込み情報に関するコンテンツ情報をコンテンツ配信センタ側から金融店舗側に向けて全店一斉又は地域毎に迅速に配信することができ、金融店舗パソコンがコンテンツ配信センタパソコンから配信された割込み情報に関するコンテンツ情報を広告情報に関するコンテンツ情報よりも優先的に表示装置に表示させるので、金融店舗の大勢の利用客に対して表示装置に表示された割込み情報に関するコンテンツ情報により緊急時或いは災害時に地震情報や台風情報などの臨時ニュース速報などの情報をリアルタイムで流すことができる。
【図面の簡単な説明】
【図１】本発明の実施の形態に係わる割込み機能付き金融機関向けコンテンツ配信システムを示す構成図。
【図２】本発明の実施の形態に係わる割込み機能付き金融機関向けコンテンツ配信システムにおける金融店舗内に設置された表示装置の表示画面を複数の区画に分割指定した場合の例を示す説明図。
【図３】本発明の割込み機能付き金融機関向けコンテンツ配信システムにおけるコンテンツ配信センタパソコンから金融店舗パソコンへの金融機関向けコンテンツ配信時の流れを示す処理フローチャート図。
【図４】本発明の割込み機能付き金融機関向けコンテンツ配信システムにおけるコンテンツ配信センタパソコンから金融店舗パソコンへの割込み用コンテンツ配信時の流れを示す処理フローチャート図。
【図５】本発明の割込み機能付き金融機関向けコンテンツ配信システムにおける金融店舗パソコンによる表示装置へのコンテンツ表示時の流れを示す処理フローチャート図。
【図６】本発明の割込み機能付き金融機関向けコンテンツ配信システムにおけるコンテンツ配信センタパソコンから広告提供会社パソコンへの金融機関向けコンテンツ配信による課金時の流れを示す処理フローチャート図。
【符号の説明】
１  広告提供会社
２  コンテンツ配信センタ
３  金融店舗
５  公衆回線（通信回線）
６  衛星回線（通信回線）
１０  パソコン（ＰＣ）
１１  課金サーバ
１２  共有データベース（ＤＢ）
１３  ルータ
２０  パソコン（ＰＣ）
２１  広告コンテンツ配信用データベース（ＤＢ）
２２  割込みコンテンツ配信用データベース（ＤＢ）
２３  ログデータベース（ＤＢ）
２４  管理サーバ
２５  ルータ
２６  衛星通信用アンテナ
３０  パソコン（ＰＣ）
３１  広告コンテンツ用データベース（ＤＢ）
３２  割込みコンテンツ用データベース（ＤＢ）
３３  ログデータベース（ＤＢ）
３４  表示記録用データベース（ＤＢ）
３５  管理サーバ
３６  ルータ
３７  表示装置
３７ａ  タッチパネル
３８  タッチパネル
３９  印刷装置
４０  スピーカ
４１  衛星通信用受信装置
４２  表示画面
４２Ａ，４２Ｂ，４２Ｃ，４２Ｄ  表示エリア
６０  通信衛星
Ｓ  割込み機能付き金融機関向けコンテンツ配信システム
【図１】
2004271954.tif 000003
【図２】
2004271954.tif 000004
【図３】
2004271954.tif 000005
【図４】
2004271954.tif 000006
【図５】
2004271954.tif 000007
【図６】
2004271954.tif 000008